(57)【特許請求の範囲】
【請求項１】
ワークのフランジを設定された折り曲げ角度で予備曲げを行う大テーパ面を有する大径ローラと、
前記フランジを折り返した状態に本曲げを行う小円筒面を有する小径ローラと、を備え、前記小径ローラは、前記大径ローラと同軸上に前記大径ローラの先端側から突出可能に内蔵され、
前記小径ローラは、前記小円筒面を前記大径ローラから軸押し動作で突出することを特徴とするローラヘミング装置。
【請求項２】
前記大径ローラは、前記大テーパ面の後端側に連続して大円筒面を有し、
前記小径ローラは、前記小円筒面の先端側に連続して小テーパ面を有することを特徴とする請求項１記載のローラヘミング装置。
【請求項３】
ワークのフランジを設定された折り曲げ角度で予備曲げを行う大テーパ面を有する大径ローラと、
前記フランジを折り返した状態に本曲げを行う小円筒面を有する小径ローラと、を備え、前記小径ローラは、前記大径ローラと同軸上に前記大径ローラの先端側から突出可能に内蔵されているローラヘミング装置を用いたローラヘミング方法であって、
前記大径ローラの前記大テーパ面を用いて前記フランジを設定された折り曲げ角度で予備曲げを行う予備曲げ工程と、
前記大径ローラから軸押し動作で突出させた前記小径ローラの前記小円筒面を用いて前記予備曲げ工程で加工された前記フランジを折り返した状態に本曲げを行う本曲げ工程と、を含むことを特徴とするローラヘミング方法。
【発明の詳細な説明】
【技術分野】
【０００１】
本発明は、ローラヘミング装置およびローラヘミング方法に関する。詳しくは、テーパ面を用いて予備曲げを行うとともに、円筒面を用いて本曲げを行うローラヘミング装置およびローラヘミング方法に関する。
【背景技術】
【０００２】
従来、テーパ面を有する予備曲げ用ローラの外周に円筒面を有する円筒状の本曲げ用ローラをスプライン嵌合し、本曲げ用ローラを予備曲げ用ローラに対し同軸上で相対移動させる、同軸の予備曲げ用ローラおよび本曲げ用ローラに関する技術が知られている（特許文献１参照）。
この技術では、予備曲げ用ローラを本曲げ用ローラより突出させた状態で予備曲げ用ローラのテーパ面をフランジに当接させてワークの周縁部の予備曲げを行い、次いで本曲げ用ローラを前進移動して予備曲げ用ローラを本曲げ用ローラ内に収納させた状態にして本曲げ用ローラにより予備曲げしたワークの周縁部の本曲げを行う。
【先行技術文献】
【特許文献】
【０００３】
【特許文献１】特許第３８２４７７７号公報
【発明の概要】
【発明が解決しようとする課題】
【０００４】
しかしながら特許文献１に開示された技術では、本曲げ用ローラ内に収納可能な小径の予備曲げ用ローラのテーパ面で予備曲げを行うので、予備曲げされたフランジが波打つ場合がある。これは、小径の予備曲げ用ローラのテーパ面では、テーパ面における大径部と小径部との円周の比率が大きくなり、小径部側の曲率半径が小さくなるためである。
また大径の本曲げ用ローラで本曲げを行うので、フランジ側に障害物が存在する場合、例えば、ヘミング加工しようとするワークの周縁部の上方にインナパネルなどがハングオーバーしている場合、本曲げ用ローラと障害物とが干渉し易く、本曲げを良好に行うことができない場合がある。
【０００５】
本発明は上記課題を解決するためのものであり、その目的は、予備曲げされたフランジが波打ち難く、かつ、本曲げ用ローラが障害物と干渉し難く、予備曲げおよび本曲げのいずれも良好に行うローラヘミング装置およびローラヘミング方法を提供することにある。
【課題を解決するための手段】
【０００６】
（１）  ワーク（例えば、後述のアウタパネルＷ１）のフランジ（例えば、後述のフランジＷＦ）を設定された折り曲げ角度で予備曲げを行うテーパ面（例えば、後述の大テーパ面１１１）を有する大径ローラ（例えば、後述の大径ローラ１１）と、前記フランジを折り返した状態に本曲げを行う円筒面（例えば、後述の小円筒面１２３）を有する小径ローラ（例えば、後述の小径ローラ１２）と、を備え、前記小径ローラは、前記大径ローラと同軸上に前記大径ローラの先端側から突出可能に内蔵されていることを特徴とするローラヘミング装置（例えば、後述のローラヘミング装置１）。
【０００７】
（１）の発明によると、大径ローラのテーパ面で予備曲げを行うので、大径ローラのテーパ面では、大径部と小径部との円周の比率が小さく、小径部側の曲率半径が大きいため、予備曲げされたフランジは波打つことがない。
また小径ローラの円筒面で本曲げを行うので、フランジ側に障害物が存在する場合、例えばヘミング加工するアウタパネルのフランジ上方にインナパネルなどがハングオーバーしている場合であっても、小径ローラがフランジ上方の隙間に入り込むことができ、小径ローラと障害物とが干渉し難く、本曲げを良好に行うことができる。
したがって、予備曲げされたフランジが波打ち難く、かつ、本曲げ用小径ローラが障害物と干渉し難く、予備曲げおよび本曲げのいずれも良好に行うことができる。
【０００８】
（２）  前記小径ローラは、前記大径ローラから軸押し動作で突出することを特徴とする（１）記載のローラヘミング装置。
【０００９】
（２）の発明によると、軸押し動作で大径ローラと小径ローラとを切り替えることができるので、大径ローラと小径ローラとの切り替えを素早く行うことができる。
また、軸押し動作であると、大径ローラに内蔵される小径ローラの外周面にスプラインなどの特殊な機構を設ける必要がなく、小径ローラの外周面を平滑な円筒面とすることができ、小径ローラの円筒面での本曲げでフランジに傷を付けることがない。
【００１０】
（３）  前記大径ローラは、前記テーパ面の後端側に連続して円筒面（例えば、後述の大円筒面１１３）を有し、前記小径ローラは、前記円筒面の先端側に連続してテーパ面（例えば、後述の小テーパ面１２１）を有することを特徴とする（１）または（２）記載のローラヘミング装置。
【００１１】
（３）の発明によると、大径ローラおよび小径ローラがそれぞれテーパ面および円筒面を有するので、予備曲げおよび本曲げの両方において最適なローラを選択することができる。
特に小径ローラが円筒面の先端側に連続してテーパ面を有すると、例えばヘミング加工するアウタパネルのフランジ上方にインナパネルなどがハングオーバーしている場合でも、小径ローラがフランジ上方の隙間に入り込むことができ、小径ローラと障害物とが干渉し難く、そのような場合であっても予備曲げを良好に行うことができる。
【００１２】
（４）  ワーク（例えば、後述のアウタパネルＷ１）のフランジ（例えば、後述のフランジＷＦ）を設定された折り曲げ角度で予備曲げを行うテーパ面（例えば、後述の大テーパ面１１１）を有する大径ローラ（例えば、後述の大径ローラ１１）と、前記フランジを折り返した状態に本曲げを行う円筒面（例えば、後述の小円筒面１２３）を有する小径ローラ（例えば、後述の小径ローラ１２）と、を備え、前記小径ローラは、前記大径ローラと同軸上に前記大径ローラの先端側から突出可能に内蔵されているローラヘミング装置（例えば、後述のローラヘミング装置１）を用いたローラヘミング方法であって、前記大径ローラの前記テーパ面を用いて前記フランジを設定された折り曲げ角度で予備曲げを行う予備曲げ工程と、前記小径ローラの前記円筒面を用いて前記予備曲げ工程で加工された前記フランジを折り返した状態に本曲げを行う本曲げ工程と、を含むことを特徴とするローラヘミング方法。
【００１３】
（４）の発明によると、（１）と同様の効果を奏する。
【発明の効果】
【００１４】
本発明によれば、予備曲げされたフランジが波打ち難く、かつ、本曲げ用ローラが障害物と干渉し難く、予備曲げおよび本曲げのいずれも良好に行うローラヘミング装置およびローラヘミング方法を提供することができる。
【図面の簡単な説明】
【００１５】
【図１】本発明の実施形態に係るローラヘミング装置の概略構成を示す図である。
【図２】上記実施形態に係る加工用ローラ機構の内部構成を示す概略断面図である。
【図３】上記実施形態に係る予備曲げ時の加工用ローラ機構の様子を示す図である。
【図４】上記実施形態に係る本曲げ時の加工用ローラ機構の様子を示す図である。
【図５】上記実施形態に係る他の予備曲げ時の加工用ローラ機構の様子を示す図である。
【図６】上記実施形態に係る他の本曲げ時の加工用ローラ機構の様子を示す図である。
【発明を実施するための形態】
【００１６】
以下に図面を参照して本発明の実施形態を説明する。
【００１７】
図１は、本実施形態に係るローラヘミング装置およびローラヘミング方法を適用するローラヘミング装置１の概略構成を示す図である。
ローラヘミング装置１は、加工用テーブル３０と、加工用ローラ機構１０と、ロボット４０と、を備える。
【００１８】
加工用テーブル３０は、床面に設置された支持台３１と、支持台３１に支持されたテーブル部３２と、を備える。
テーブル部３２には、ワークＷが載置される。
ワークＷは、例えば自動車用ドアパネルなどであり、アウタパネルＷ１およびインナパネルＷ２から構成される。アウタパネルＷ１は、インナパネルＷ２を中央に配置する部分（本体）に対して残りの周縁部にフランジＷＦが略９０°に折り曲げられている。インナパネルＷ２は、ヘミング加工される端部Ｗ２２に対し一旦ヘミング加工する端部Ｗ２２の上方までハングオーバーした突出部Ｗ２１を有する。
テーブル部３２には、フランジＷＦをテーブル部３２の表面に対して垂直な上向きに立てた状態でアウタパネルＷ１が載置される。アウタパネルＷ１上には、アウタパネルＷ１のフランジＷＦがインナパネルＷ２の端部Ｗ２２を包み込むようにインナパネルＷ２が配置される。
【００１９】
加工用ローラ機構１０は、テーブル部３２に載置されたアウタパネルＷ１のフランジＷＦに折り曲げ加工（ローラヘミング加工）を施すものである。
加工用ローラ機構１０は、ロボット４０のアーム４２によって３次元方向に移動可能に支持され、アーム４２に対して回転可能である。
ローラヘミング加工は、加工用ローラ機構１０を用いて、通常、フランジＷＦを最終的な折り曲げ形状の途中まで折り曲げる少なくとも１回の予備曲げと、フランジＷＦを最終的な折り曲げ形状まで折り曲げる本曲げと、によって行われる。
【００２０】
ロボット４０は、床面上を走行可能な基部４１と、加工用ローラ機構１０を３次元方向に移動可能に支持するアーム４２と、を備え、予め記憶されたティーチングに基づいて加工用ローラ機構１０を移動させるものである。
ロボット４０は、加工用ローラ機構１０が予備曲げおよび本曲げにおいて、それぞれ予めティーチングによって設定された所定の軌道に移動するように構成されている。
【００２１】
図２は、本実施形態に係る加工用ローラ機構１０の内部構成を示す概略断面図である。
図２に示すように、加工用ローラ機構１０は、大径ローラ１１と、小径ローラ１２とを備える。
【００２２】
大径ローラ１１は、円筒状部材であり、先端にフランジＷＦを設定された折り曲げ角度で予備曲げを行う大テーパ面１１１を有する。大テーパ面１１１の先端側は軸線方向に直交する環状の先端面１１２となっている。
大径ローラの大テーパ面１１１の後端側には、大テーパ面１１１に連続した大円筒面１１３を有する。大径ローラ１１の大テーパ面１１１と大円筒面１１３との境界は滑らかに連続している。
大径ローラ１１は、後端側が円筒状のシリンダ１３に接続されている。
また大径ローラ１１の中空内部には、小径ローラ１２が挿通されている。
【００２３】
小径ローラ１２は、円柱状部材であり、大径ローラ１１に内蔵される。小径ローラ１２は、先端にフランジＷＦを設定された折り曲げ角度で予備曲げを行う小テーパ面１２１を有する。小テーパ面１２１の先端側は軸線方向に直交する円形の先端面１２２となっている。
小径ローラ１２の小テーパ面１２１の後端側には、小テーパ面１２１に連続した小円筒面１２３を有する。小径ローラ１２の小テーパ面１２１と小円筒面１２３との境界は滑らかに連続している。
小径ローラ１２は、小円筒面１２３から後端側に接続された芯部１４が大径ローラ１１およびシリンダ１３内を延出され、後端側でシリンダ１３よりも外径が大きい突き当て部材１５に接続されている。
【００２４】
突き当て部材１５は、後方のエアシリンダ１６によって軸線方向に進退可能、すなわち軸押し可能となっている。
そして、シリンダ１３の後端１３２は、突き当て部材１５が先端側に軸押しされた場合に最終的に突き当て部材１５が突き当てられて位置決めされる。
【００２５】
小径ローラ１２と、シリンダ１３内に配置される芯部１４との間には、先端側に外テーパ面１８１を有する拡径部１８を有する。拡径部１８は、小径ローラ１２や芯部１４よりも拡径されたものである。
一方、大径ローラ１１の中空内部の内壁面１１４は、先端側の小径ローラ１２が軸線方向にスライド自在となる同径の内周面１１４１と、内周面１１４１から拡径されて後端側の拡径部１８の外テーパ面１８１が突き当たる内テーパ面１１４２とから構成される。内周面１１４１には、小径ローラ１２の小円筒面１２３をガイドする軸受部１１５が配置されている。
これにより、小径ローラ１２を突出させるために、軸押し動作により突き当て部材１５が先端側に進行してシリンダ１３の後端１３２に突き当てられる際に、小径ローラ１２の小円筒面１２３が軸受部１１５にガイドされ、拡径部１８の外テーパ面１８１が大径ローラ１１の内部の内テーパ面１１４２に押し付けられ、小径ローラ１２の軸心位置が大径ローラ１１と同軸上となるように規定され、小径ローラ１２の突出状態が固定される。
【００２６】
以上のように本実施形態では、突き当て部材１５がシリンダ１３の後端１３２に突き当てられることと、小径ローラ１２の小円筒面１２３が軸受部１１５にガイドされることと、拡径部１８の外テーパ面１８１が大径ローラ１１の内部の内テーパ面１１４２に押し付けられることの３つによって、軸押しした小径ローラ１２の突出状態を軸心位置がずれないように固定するようにした。しかしながら、これに限られず、上記３つのうち少なくとも１つの方法によって軸押し時の小径ローラ１２の突出状態を軸心位置がずれないように固定するものであってもよい。
【００２７】
シリンダ１３の外周には複数のベアリング１９ａ，１９ｂが設けられ、ベアリング１９ａ，１９ｂがシリンダ１３とシリンダ１３よりも一回り大きい外筒２０との間に介在し、シリンダ１３と外筒２０の相対回転を可能にしている。これにより、大径ローラ１１は外筒２０に対して自由回転可能となっている。
ベアリング１９ａは、先端側において外筒２０に設けられた空間部２１に配置される。一方、ベアリング１９ｂは、後端側において外筒２０に設けられた空間部２２に配置される。
【００２８】
図３は、本実施形態に係る予備曲げ時の加工用ローラ機構１０の様子を示す図である。
加工用ローラ機構１０およびそれを移動させるロボット４０は、以下のような予備曲げを行うように構成されている。
予備曲げでは、まず、図３に示すように、テーブル部３２にワークＷが載置された状態、すなわちフランジＷＦが略９０°に折り曲げられた状態ＷＦ０に対して、大径ローラ１１の大テーパ面１１１を状態ＷＦ０のフランジＷＦに接触させ、さらにフランジＷＦを押圧する。大径ローラ１１の大テーパ面１１１は、フランジＷＦの折り曲げ部ＦＯのある根元側を押圧する。このため、図３に示すように本実施形態に係る端部Ｗ２２にハングオーバーした突出部Ｗ２１を有するインナパネルＷ２であっても大径ローラ１１はインナパネルＷ２に干渉せずに予備曲げを行うことができる。
このとき、フランジＷＦは、大径ローラ１１直下では折り曲げ角度θ１で折り曲げられるが、大径ローラ１１未加工部では状態ＷＦ０であり、それらの間は大径ローラ１１未加工部から大径ローラ１１直下に向かって状態ＷＦ０から折り曲げ角度θ１の折り曲げ状態まで連続的に変形している。
次に、大径ローラを折り曲げ部ＦＯに沿って移動させ、フランジＷＦを設定された形状に折り曲げる。
なおθ１は、例えば４５°であってよい。
ここで、予備曲げは、フランジＷＦを折り曲げる折り曲げ角度に応じて、１回に限られず、複数回実施されてもよい。
【００２９】
図４は、本実施形態に係る本曲げ時の加工用ローラ機構１０の様子を示す図である。
加工用ローラ機構１０およびそれを移動させるロボット４０は、予備曲げが完了した後に以下のような本曲げを行うように構成されている。
本曲げでは、まず、エアシリンダ１６によって突き当て部材１５を先端側に軸押しし、突き当て部材１５をシリンダ１３の後端１３２に突き当てる。このとき、小径ローラ１２の小円筒面１２３が軸受部１１５にガイドされ、拡径部１８の外テーパ面１８１が大径ローラ１１の内部の内テーパ面１１４２に押し付けられ、小径ローラ１２の軸心位置が規定される。これにより、小径ローラ１２は大径ローラ１１と同軸上の軸心のずれない突出状態となる（図４参照）。
そして、図４に示すように、突出状態となった小径ローラ１２の小円筒面１２３でフランジＷＦを同様に押圧し、同様に小径ローラ１２を折り曲げ部ＦＯに沿って移動させ、フランジＷＦを最終的な形状として完全に折り返す。
本曲げでは、小径ローラ１２の小円筒面１２３でフランジＷＦの先端から折り曲げ部ＷＯのある根元までの全体をフランジＷＦがインナパネルＷ２の端部Ｗ２２に接触するまで力強く折り曲げ、インナパネルＷ２の端部Ｗ２２をフランジＷＦとアウタパネルＷ１本体とに挟み込む。このとき、接着剤に含まれる固形材がアウタパネルＷ１とインナパネルＷ２との間に食い込み、アウタパネルＷ１とインナパネルＷ２とを強く結合する。
【００３０】
ここで、本実施形態に係るインナパネルＷ２は端部Ｗ２２にハングオーバーした突出部Ｗ２１を有しているので、大径ローラ１１の大円筒面１１３によって本曲げを行おうとすると、大径ローラ１１はインナパネルＷ２に干渉し、大径ローラ１１の大円筒面１１３によって本曲げはできない。そこで、図４に示すように、小径ローラ１２の小円筒面１２３によって本曲げを行う。小径ローラ１２は、インナパネルＷ２が端部Ｗ２２にハングオーバーした突出部Ｗ２１を有していても、フランジＷＦ上方の隙間であるインナパネルＷ２の突出部Ｗ２１と端部Ｗ２２との間に入り込むことができ、小径ローラ１２はインナパネルＷ２に干渉せず、小径ローラ１２の小円筒面１２３によって本曲げを行うことができる。
【００３１】
次に本実施形態に係るローラヘミング装置１を用いたローラヘミング方法について説明する。
まず、テーブル部３２の表面にアウタパネルＷ１を載置する。ここで、アウタパネルＷ１はフランジＷＦを上方へ略９０°折り曲げた状態である。
【００３２】
次に、アウタパネルＷ１の中央部（本体）上にインナパネルＷ２を重ね合わせる。インナパネルＷ２の端部Ｗ２２は、アウタパネルＷ１本体のフランジＷＦ内側に収納される。このとき、アウタパネルＷ１本体とインナパネルＷ２の端部Ｗ２２との間やフランジＷＦの折り返し面に、接着剤を塗布する。
【００３３】
次に、ロボット４０は、予め記憶したティーチングの軌道に従い、予備曲げを行う。
すなわち、図３に示すように、大径ローラ１１の大テーパ面１１１でフランジＷＦを押圧する。大径ローラ１１のフランジＷＦへの押圧は、大径ローラ１１をフランジＷＦに対して、テーブル部３２の表面と平行に移動させて行っても、テーブル部３２の表面と垂直に移動させて行っても、ローラ軸と垂直方向に移動させて行ってもよい。大径ローラ１１の大テーパ面１１１は、フランジＷＦの折り曲げ部ＦＯのある根元側を押圧する。
次に、大径ローラ１１を折り曲げ部ＦＯに沿って移動させ、大テーパ面１１１でフランジＷＦを状態ＷＦ０から折り曲げていく。このとき、大径ローラ１１は、折り曲げ部ＦＯに沿った移動に伴ってフランジＷＦ上で回転していく。
この予備曲げにより、フランジＷＦは、設定された折り曲げ部ＦＯおよび折り曲げ角度θ１で折り曲げられていく。
【００３４】
次に、ロボット４０は、予め記憶したティーチングの軌道に従い、本曲げを行う。
すなわち、図４に示すように、エアシリンダ１６によって突き当て部材１５を軸押して小径ローラ１２を突出状態に移行させる。
そして、突出状態となった小径ローラ１２は、インナパネルＷ２の突出部Ｗ２１と端部Ｗ２２との間に入り込み、小径ローラ１２の小円筒面１２３でフランジＷＦの先端から根元までの全部を押圧する。
次に、小径ローラ１２の小円筒面１２３でフランジＷＦを押圧し、その状態で小径ローラ１２を折り曲げ部ＦＯに沿って移動させ、フランジＷＦを折り曲げていく。小径ローラ１２の小円筒面１２３は、フランジＷＦの先端から根元までの全部を押圧する状態を維持して折り曲げを行う。このとき、小径ローラ１２は、折り曲げ部ＦＯに沿った移動に伴って大径ローラ１１とともにフランジＷＦ上で回転していく。
これにより、フランジＷＦは、設定された折り曲げ部ＦＯで折り返される。
【００３５】
本曲げにより、フランジＷＦがインナパネルＷ２の端部Ｗ２２に接触するまで折り曲げられることで、インナパネルＷ２の端部Ｗ２２がフランジＷＦとアウタパネルＷ１本体とに挟み込まれる。
【００３６】
次に、加工用ローラ機構１０の具体的特徴について説明する。
図３に示すように、大径ローラ１１の大テーパ面１１１で予備曲げを行うことができる。これにより、大径ローラ１１の大テーパ面１１１は、大径部と小径部との円周の比率が小さく、小径部側の曲率半径が大きいため、予備曲げされたフランジＷＦは波打つことがない。
【００３７】
図５は、本実施形態に係る他の予備曲げ時の加工用ローラ機構１０の様子を示す図である。図５に示すように、小径ローラ１２の小テーパ面１２１でも予備曲げを行うことができる。これにより、図５に示すようにインナパネルＷ２の突出部Ｗ２１が大きく端部Ｗ２２にハングオーバーしていても、小径ローラ１２はフランジＷＦ上方のインナパネルＷ２の突出部Ｗ２１と干渉しない。したがって、大径ローラ１１ではインナパネルＷ２などに干渉してしまう場合であっても小径ローラ１２の小テーパ面１２１で予備曲げを良好に行うことができる。
【００３８】
図４に示すように、小径ローラ１２の小円筒面１２３で本曲げを行うことができる。これにより、図４に示すようにインナパネルＷ２の突出部Ｗ２１が端部Ｗ２２にハングオーバーしていても、小径ローラ１２はフランジＷＦ上方の隙間であるインナパネルＷ２の突出部Ｗ２１と端部Ｗ２２との間に入り込むことができ、小径ローラ１２とインナパネルＷ２とが干渉し難く、そのような場合であっても本曲げを良好に行うことができる。
【００３９】
図６は、本実施形態に係る他の本曲げ時の加工用ローラ機構１０の様子を示す図である。図６に示すように、大径ローラ１１の大円筒面１１３で本曲げを行うことができる。これにより、大径ローラ１１がインナパネルＷ２などに干渉しない場合に大径ローラ１１の大円筒面１１３で本曲げを良好に行うことができる。この場合には、図３の予備曲げの状態から図６の本曲げの状態へ移行して小径ローラ１２を用いず大径ローラ１１のみでヘミング加工の全工程を実施できるので、大径ローラ１１と小径ローラ１２とを切り替える作業時間が必要なくなる。
【００４０】
以上の本実施形態に係るローラヘミング装置１によれば、以下の効果を奏する。
【００４１】
（１）大径ローラ１１の大テーパ面１１１で予備曲げを行うので、大径ローラ１１の大テーパ面１１１では、大径部と小径部との円周の比率が小さく、小径部側の曲率半径が大きいため、予備曲げされたフランジＷＦは波打つことがない。
また小径ローラ１２の小円筒面１２３で本曲げを行うので、フランジＷＦ側に障害物が存在する場合、例えばヘミング加工するアウタパネルＷ１のフランジＷＦ上方にインナパネルＷ２などがハングオーバーしている場合でも、小径ローラ１２がフランジＷＦ上方の隙間に入り込むことができ、小径ローラ１２と障害物とが干渉し難く、本曲げを良好に行うことができる。
したがって、予備曲げ時にフランジＷＦが波打ち難く、かつ、本曲げ時に小径ローラ１２が障害物と干渉し難く、予備曲げおよび本曲げのいずれも良好に行うことができる。
【００４２】
（２）軸押し動作で大径ローラ１１と小径ローラ１２とを切り替えることができるので、大径ローラ１１と小径ローラ１２との切り替えを素早く行うことができる。
また、軸押し動作であると、大径ローラ１１に内蔵される小径ローラ１２の外周面にスプラインなどの特殊な機構を設ける必要がなく、小径ローラ１２の外周面を平滑な円筒面とすることができ、小径ローラ１２の小円筒面１２３での本曲げでフランジＷＦに傷を付けることがない。
【００４３】
（３）大径ローラ１１および小径ローラ１２がそれぞれ大テーパ面１１１および小テーパ面１２１ならびに大円筒面１１３および小円筒面１２３を有するので、予備曲げおよび本曲げの両方において最適なローラを選択することができる。
特に小径ローラ１２が小円筒面１２３の先端側に連続して小テーパ面１２１を有すると、例えばヘミング加工するアウタパネルＷ１のフランジＷＦ上方にインナパネルＷ２などがハングオーバーしている場合でも、小径ローラがフランジＷＦ上方の隙間に入り込むことができ、小径ローラ１２と障害物とが干渉し難く、そのような場合であっても予備曲げを良好に行うことができる。
【００４４】
なお、本発明は上記実施形態に限定されず、本発明の目的を達成できる範囲で変形、改良などを行っても、本発明の範囲に包含される。
本実施形態では、大径ローラに大円筒部を設け、小径ローラに小テーパ面を設けたが、これらは設けられなくてもよい。
【符号の説明】
【００４５】
１…ローラヘミング装置
１１…大径ローラ
１１１…大テーパ面（テーパ面）
１１３…大円筒面（円筒面）
１２…小径ローラ
１２１…小テーパ面（テーパ面）
１２３…小円筒面（円筒面）
Ｗ１…アウタパネル（ワーク）
【図１】
0005525566.tif 000002
【図２】
0005525566.tif 000003
【図３】
0005525566.tif 000004
【図４】
0005525566.tif 000005
【図５】
0005525566.tif 000006
【図６】
0005525566.tif 000007